(57)【要約】【課題】光源の光を有効活用することができ、且つ低コストで製造可能な発光式風船を提供する。【解決手段】風船本体部５として、光透過特性を有する第１シート１０、及び少なくとも内側が光反射特性を有する第２シート２０を重ね合わせて周縁を溶着又は接着して構成する。また、光源装置３０を、風船本体部５に取り付けることで、第２シート２０の内側表面に対して光を照射させる。このようにすることで、第２シート２０による反射光を、第１シート１０から透過させて外部に放つことで、第１シート１０の全体を発光させるようにした。。【選択図】図１
2011018490.tif 000002
【特許請求の範囲】
【請求項１】
光透過特性を有する第１シート、及び少なくとも内側が光反射特性を有する第２シートを重ね合わせて周縁を溶着又は接着して構成され、内部にガスが注入されて膨らむ風船本体部と、
前記風船本体部に取り付けられ、前記第２シートの前記内側表面に対して光を照射する光源装置と、を備え、
前記第２シートの前記内側表面による反射光を、前記第１シートから透過させて外部に放つことで、発光させることを特徴とする発光式風船。
【請求項２】
前記第１シートが、光拡散領域を有することを特徴とする請求項１に記載の発光式風船。
【請求項３】
前記第１シートが、半透明であることを特徴とする請求項１又は２に記載の発光式風船。
【請求項４】
前記第１シートには、白色等の有色塗料が塗布されていることを特徴とする請求項１、２又は３に記載の発光式風船。
【請求項５】
前記第２シートには、金属材料が蒸着されていることを特徴とする請求項１乃至４のいずれかに記載の発光式風船。
【請求項６】
前記光源装置は、
前記第１シートの外側に配置される光源と、
前記光源を保持する保持部、及び前記風船本体部と連結する為の結合部を有するホルダと、を備えるようにし、
前記光源装置によって、前記第１シートの外側に配置される前記光源の光が、前記第１シートを透過して前記第２シートの内側表面に照射されることを特徴とする請求項１乃至５のいずれかに記載の発光式風船。
【請求項７】
前記光源はＬＥＤであることを特徴とする請求項６に記載の発光式風船。
【請求項８】
前記ホルダは、前記光源の周囲を覆うと共に、前記光源の光を前記第１シート側に反射させる光反射部を備えることを特徴とする請求項６又は７に記載の発光式風船。
【請求項９】
前記第１シートにおける前記光源の近傍は透明領域となっており、前記光源の光が、前記透明領域を透過して前記第２シートの内側表面に照射されることを特徴とする請求項６、７又は８に記載の発光式風船。
【請求項１０】
前記ホルダの前記結合部は接着面となっており、前記ホルダが前記第１シートの略中央に接着されることを特徴とする請求項６乃至８のいずれかに記載の発光式風船。
【請求項１１】
前記光源装置から把持用の紐が垂下されることで、前記風船本体部における前記第２シートが上側、前記第１シートが下側となる姿勢で浮遊することを特徴とする請求項９に記載の発光式風船。
【請求項１２】
前記紐は、前記光源に電気を供給するための配線を兼ねることを特徴とする請求項１０に記載の発光式風船。
【発明の詳細な説明】
【技術分野】
【０００１】
本発明は、内部にガスが充填されて空気中を浮遊可能な発光式風船に関する。
【背景技術】
【０００２】
従来、空気よりも軽いヘリウムガス等が充填されて、大気中を浮遊する風船が存在する。近年、この風船の内部に発光源を取り付けて、風船自体を発光させる試みがなされている。この種の発光式風船では、電池と発光源の双方を風船本体内に収容して、周囲を完全に溶着する手法が提案されている（例えば、特許文献１参照）。
【０００３】
また、風船本体に開口を形成し、その開口に気密性を高めた状態で照明装置を取り付けて、風船内に光源を配置する手法が提案されている（例えば、特許文献２参照）。
【先行技術文献】
【特許文献】
【０００４】
【特許文献１】特開２００８−１２５７１８号公報
【特許文献２】特開２００６−２０１３０７号公報
【発明の概要】
【発明が解決しようとする課題】
【０００５】
しかしながら、従来の発光式風船は、風船本体内に光源を配置して、風船本体全体を発光させる構造であるので、十分な明るさを確保するには、光源を十分に明るくしなければならないという問題があった。また、ＬＥＤ光源のように指向性の強い光を用いる場合、特定の部分のみが明るくなってしまい、全体を明るく光らせることが難しいという問題があった。
【０００６】
更にこの発光式風船は、屋外で使用されることが多いが、風船本体内に配置される光源が天井方向に放つ光は、利用者側に視認されないため、その分だけ全体が暗くなってしまうという問題があった。
【０００７】
また、風船本体に開口等を形成して照明装置を固定し、光源を本体内部に配置しようとすると、その開口からヘリウムガス等が漏れ出してしまい、風船の浮遊時間が短くなるという問題があった。一方で、その気密性を高めようとすると、特殊な加工が必要となり、製造コストが増大するという問題があった。
【０００８】
本発明は、斯かる実情に鑑みてなされたものであり、光源の光を有効活用することができ、且つ低コストで製造可能な発光式風船を提供しようとするものである。
【課題を解決するための手段】
【０００９】
上記目的を達成する本発明は、光透過特性を有する第１シート、及び少なくとも内側が光反射特性を有する第２シートを重ね合わせて周縁を溶着又は接着して構成され、内部にガスが注入されて膨らむ風船本体部と、前記風船本体部に取り付けられ、前記第２シートの前記内側表面に対して光を照射する光源装置と、を備え、前記第２シートの前記内側表面による反射光を、前記第１シートから透過させて外部に放つことで、発光させることを特徴とする発光式風船である。
【００１０】
上記目的を達成する発光式風船は、上記発明において、前記第１シートが、光拡散領域を有することを特徴とする。
【００１１】
上記目的を達成する発光式風船は、上記発明において、前記第１シートが、半透明であることを特徴とする。
【００１２】
上記目的を達成する発光式風船は、上記発明において、前記第１シートには、白色等の有色塗料が塗布されていることを特徴とする。
【００１３】
上記目的を達成する発光式風船は、上記発明において、前記第２シートには、金属材料が蒸着されていることを特徴とする。
【００１４】
上記目的を達成する発光式風船の前記光源装置は、上記発明において、前記第１シートの外側に配置される光源と、前記光源を保持する保持部、及び前記風船本体部と連結する為の結合部を有するホルダと、を備えるようにし、前記光源装置によって、前記第１シートの外側に配置される前記光源の光が、前記第１シートを透過して前記第２シートの内側表面に照射されることを特徴とする。
【００１５】
上記目的を達成する発光式風船の光源は、上記発明において、ＬＥＤであることを特徴とする。
【００１６】
上記目的を達成する発光式風船の前記ホルダは、上記発明において、前記光源の周囲を覆うと共に、前記光源の光を前記第１シート側に反射させる光反射部を備えることを特徴とする。
【００１７】
上記目的を達成する発光式風船は、上記発明において、前記第１シートにおける前記光源の近傍は透明領域となっており、前記光源の光が、前記透明領域を透過して前記第２シートの内側表面に照射されることを特徴とする。
【００１８】
上記目的を達成する発光式風船は、上記発明において、前記ホルダの前記結合部は接着面となっており、前記ホルダが前記第１シートの略中央に接着されることを特徴とする。
【００１９】
上記目的を達成する発光式風船は、上記発明において、前記光源装置から把持用の紐が垂下されることで、前記風船本体部における前記第２シートが上側、前記第１シートが下側となる姿勢で浮遊することを特徴とする。
【００２０】
上記目的を達成する発光式風船の前記紐は、上記発明において、前記光源に電気を供給するための配線を兼ねることを特徴とする。
【発明の効果】
【００２１】
本発明によれば、光源の光を有効活用することができ、且つ低コストで製造可能な発光式風船を提供できるという優れた効果を奏し得る。
【図面の簡単な説明】
【００２２】
【図１】本発明の実施の形態に係る発光式風船の正面図である。
【図２】同発光式風船の上面図である。
【図３】同発光式風船の底面図である。
【図４】同発光式風船の斜視図である。
【図５】同発光式風船の風船本体部のシート構造を示す拡大断面図である。
【図６】同発光式風船の光源装置の拡大断面図である
【図７】同発光式風船の他の構成例を示す正面図である。
【図８】同発光式風船の他の構成例を示す正面図である。
【発明を実施するための形態】
【００２３】
以下、本発明の実施の形態を添付図面を参照して説明する。
【００２４】
図１〜図４には、本発明の実施の形態に係る発光式風船１が示されている。この発光式風船１は、風船本体部５と光源装置３０を備えて構成されている。風船本体部５の内部には、ヘリウムガス等のように空気よりも比重の軽い媒体が充填され、浮力が得られるようになっている。
【００２５】
風船本体５は、光透過特性を有する第１シート１０と、少なくとも内側が光反射特性を有する第２シート２０を重ね合わせて、周縁２５を互いに熱溶着又は接着して構成される。なお、ここでは特に図示しないが、周縁２５には、ガスを充填するための充填口が形成されており、充填後に、この充填口を熱溶着によって封止できるようになっている。
【００２６】
図５には、この第１シート１０及び第２シート２０の詳細積層構造が拡大して示されている。第１シート１０は、第１シート層１２と塗装層１８を備えている。第１シート層１２は、ポリプロピレンフィルムやポリエチレンフィルムによって構成される高分子膜１３と、ナイロン等のポリアミド系樹脂膜１４と、ビニルアルコールとエチレンとの共重合体等によるＥＶＯＨ膜１５が積層されて構成される。このＥＶＨＯ膜１５側には、塗装層１８が積層される。具体的にこの塗装層１８は、本実施形態では白色塗料を印刷することによって形成される。塗装層１８は、本発明における光拡散領域を構成し、半透明状態となることによって白色塗料に光が乱反射して、第１シート１０の全体を白く光らせることができる。なお、ここでは白色塗料からなる塗装層１８によって光拡散領域を構成する場合を示したが、その他にも、例えば超微粒ビーズ等を第１シート層１２に塗布したり、第１シート層１２の表面自体に凹凸を形成したりすることで、光を乱反射させる光拡散領域を構成しても良い。
【００２７】
第２シート２０は、第２シート層２２と光反射層２８を備えている。第２シート層２２は、ポリプロピレンフィルムやポリエチレンフィルムによって構成される高分子膜２３と、ナイロン等のポリアミド系樹脂膜２４と、ビニルアルコールとエチレンとの共重合体等によるＥＶＯＨ膜２５が積層されて構成される。このＥＶＨＯ膜２５側には、光反射層２８が積層される。具体的にこの光反射層２８は、第２シート層２２に対して金属材料（ここではアルミ）を蒸着させることによって形成される。この結果、風船本体１０の内側から第２シート層２２を透過した光が光反射層２８で反射される。第１シート１０と第２シートは、各高分子膜１３、２３を対向させるようにして溶着させる。
【００２８】
第１及び第２シート１０、２０を、複数素材の積層構造にすることで、例えば、高分子膜１３，２３では互いの溶着によって風船の機密性を向上させ、ポリアミド系樹脂膜１４，２４では、風船の機械的強度を確保し、更にＥＶＯＨ膜１５，２５では、ガスバリア特性によって充填ガスが染み出すことを防止する。この結果、極めて軽量で、且つ機能性に富んだ風船本体部５を構成できる。
【００２９】
図１及び図６に示されるように、光源装置３０は、第１シート１０の外側の略中央に配置される３個のＬＥＤ光源３４と、この３つのＬＥＤ光源３４を一体的に結合する基台３６と、ホルダ４０と、ＬＥＤ光源３４に電気を供給する配線６０と、この配線６０の下端に連結される電源７０を備える。
【００３０】
電源７０は、電池を内蔵すると共に、特に図示しないスイッチによって、ＬＥＤ光源３４に対する電気の供給をＯＮ・ＯＦＦさせる。配線６０は、電源７０と風船本体部５を連結する紐を兼ねており、電源７０の自重によって風船本体部５が飛び去ることを防ぐ。
【００３１】
図６を参照して、ホルダ４０は、底面を有さない中空の逆円錐形状となっており、下端側に位置する頂点を切り欠くことで挿入口４２が形成され、上端側は開放端４３となっている。ホルダ４０内には、ＬＥＤ光源３４及び基台３６が収容され、挿入口４２には配線６０が挿入される。挿入口４２の大きさを、ＬＥＤ光源３４又は基台３６よりも小さくすることで、ＬＥＤ光源３４又は基台３６がホルダ４０から落下することを防止している。換言すると、ホルダ４０における挿入口４２の近辺（周縁）が保持部４４となり、この保持部４４によってＬＥＤ光源３４及び基台３６が保持される構造となる。
【００３２】
ホルダ４０の開放端４３（円錐の底面側）には、結合部４６が周方向に４箇所形成されている。この結合部４６は、風船本体部５と対向する平面が形成されており、両面テープ等による接着材料４６Ａによって、風船本体部５と結合する。従って、ホルダ４０は、内部にＬＥＤ光源３４を収容した状態で、第１シート１０の外側に装着される。
【００３３】
更にホルダ４０は、その内周側面を利用した光反射部４８を備える。この光反射部４８は、光反射特性を有するアルミ箔等によって構成されており、ＬＥＤ光源３４の周囲を覆うと共に、このＬＥＤ光源３４の光を第１シート１０側に反射させる。この結果、ＬＥＤ光源３４から放たれる全ての光が、第１シート１０内に照射されるようになっている。
【００３４】
一方、第１シート１０におけるＬＥＤ光源３４の近傍、具体的には、ホルダ４０の開放端４３の内部領域は、透明領域１９となっている。なお、この透明領域１９は、先述した塗装層１８を形成しないようにすることで、第１シート層１２のみの無色透明状態としている。この結果、ＬＥＤ光源３４の光が、透明領域１９を透過して第２シート２０の内側表面に照射される。
【００３５】
本実施形態の発光式風船１によれば、風船本体部５が、光透過特性を有する第１シート１０と、光反射特性を有する第２シート２０によって構成されるので、風船本体部５内の全ての光を、第１シート１０側から外部に放出することができる。従って、光が多方向に分散して放出されないので、第１シート１０を極めて明るくすることが出来る。
【００３６】
特に、第２シート２０側において、アルミ等の金属材料を蒸着させることで、反射効率が高められているので、第１シート１０側を非常に明るくすることが可能となる。
【００３７】
更に本発光式風船１では、第１シート１０において、白色塗料を用いることによって塗装膜１８が半透明状態で形成されているので、この第１シート１０自体が光拡散領域となる。従って、図６に示されるように、第２シート２０で反射した光が、第１シート１０に到達すると、この塗装膜１８（光拡散領域）で乱反射するので、第１シート１０の全体が白く発光するような雰囲気を醸し出すことができる。
【００３８】
また本発光式風船１では、光源装置３０を、風船本体部５における第１シート１０の外周側の略中央に、接着剤によって固定している。この結果、第１シート１０の明るさを十分に確保しながらも、風船本体部５には、光源を内部に設置するための開口を形成する必要が無い。従って、風船本体部５の機密性を高めることが可能となり、本発明者らの実験によると、例えば１週間以上の浮遊時間を確保することも可能となっている。また、風船本体部５における特別な溶着工程が不要となるので、製造コストも低減されて、商品価値を高めることが可能となる。同様に、運搬時は風船本体部５と光源装置３０を別々にしておくことができ、使用時には、風船本体部５を膨らませてから、光源装置３０を両面接着材によって固定するだけで準備が完了するので、屋外における作業性を高めることが可能となる。
【００３９】
更に、この光源装置３０のホルダ４０は、光反射部４８によって、ＬＥＤ光源３４の周囲を覆うと共に、この光を第１シート１０側に反射させる。第１シート１０には、無色の透明領域１９が形成されており、外部のＬＥＤ光源３４の光を効率的に内部に取り込む。この結果、第１シート１０の中央に配置されるＬＥＤ光源３４の略全ての光が、光反射部４８で反射すると共に、透明領域１９を透過して第２シート２０の内側表面に照射される。第２シート２０によって光を反射させることで、第１シート１０を、リング状態で一層明るく輝かせることが可能となっている。
【００４０】
特に、本実施形態では、第１シート１０の中央に固定される光源装置３０から把持用の紐（配線６０）を垂下させるようにしている。この結果、明るい第１シート１０側を利用者側に向けた状態、即ち、風船本体部５における第２シート２０が上側、第１シート１０が下側となる姿勢で浮遊させることができる。
【００４１】
なお、本実施形態では、第１シート１０において白色塗料を用いる場合に限って示したが、白以外にも、黄色や水色、ピンクなどの塗料を用いて印刷するようにしても良い。また、この光拡散領域は、必ずしも半透明であったり、白色等の塗料で形成する場合に限られず、他の光拡散材料又は光拡散素材を用いたり、蛍光塗料を用いたりすることで構成することも可能である。更に、この光拡散領域は、第１シート１０の全体に形成する必要はなく、例えば、図柄等による特定領域に形成しても良い。これらの点は、第２シート２０の光反射層についても同様である。更に本実施形態では、ホルダ４０を逆円錐形状としたが、本発明はこれに限定されず、三角錐等の形状でも良く、また筒形状であっても良い。同様に、ホルダ４０において、結合部４６と保持部４４を一体的に形成する場合に限って示したが、本発明はこれに限定されず、結合部と保持部を別部材で構成することも可能である。
【００４２】
また、本実施形態では、風船本体部５における第２シート２０が上側、第１シート１０が下側となる水平姿勢で浮遊させる場合に限って示したが、本発明はこれに限定されず、例えば図７に示されるように、第１シート１０の周縁近傍に光源装置３０を取り付けることで、風船本体部５０が鉛直姿勢で浮遊させることも可能である。同様に、図８に示されるように、光源装置３０を第１シート１０の中央近傍に取り付けると共に、紐（配線）側を風船本体部５の周縁に固定することで、風船本体部５０が鉛直姿勢で浮遊させることも可能である。
【００４３】
更にまた、本実施形態では、光源を風船本体の外部に固定する場合に限って示したが、風船本体部内に配置することも可能である。この場合においても、光源の光を第２シート２０側に放つようにすることで、その反射光を利用して第１シート全体を光らせることが好ましい。
【００４４】
また、本実施形態では、風船本体部のシート材として、複数素材による多層構造の場合に限って示したが、本発明はこれらの特定の材料に限定されず、目的に応じて様々な素材を用いることができる。例えば、ゴム等を用いることもできる。
【００４５】
尚、本発明の発光式風船は、上記した実施の形態に限定されるものではなく、本発明の要旨を逸脱しない範囲内において種々変更を加え得ることは勿論である。
【産業上の利用可能性】
【００４６】
本発明の発光式風船は、風船を発光させる目的で様々な用途で用いることが可能である。
【符号の説明】
【００４７】
１      発光式風船
５      風船本体部
１０    第１シート
２０    第２シート
３０    光源装置
３４    ＬＥＤ光源
４０    ホルダ
【図１】
2011018490.tif 000003
【図２】
2011018490.tif 000004
【図３】
2011018490.tif 000005
【図４】
2011018490.tif 000006
【図５】
2011018490.tif 000007
【図６】
2011018490.tif 000008
【図７】
2011018490.tif 000009
【図８】
2011018490.tif 000010